(57)【要約】  【課題】  流しの排水口の異なる口径に適合する蓋を提供すること。  【解決手段】  排水用開口６を有し、流し１の排水口１ａの上部に設置されているゴミ受けカゴ３を覆うように設けられる蓋４において、蓋本体４ａに、ヌメリ除去作用および／または殺菌作用を有する水溶性の薬剤および／または生ゴミや下水からの異臭を消す消臭作用を有する水溶性の薬剤を収容する複数の収容部４４が設けられたリング体４ｂを保持させ、更に、前記収容部４４は、当該収容部４４内に排水が流入したり、当該収容部４４内から溶解液が流出する複数の孔３６，２７を有し、これら孔３６，２７のうち、一部を他のものより低い位置に形成してあり、前記収容部４４に溜まった排水によって予め薬剤の一部を溶解させるよう構成されているとともに、前記蓋本体４ａには、流し１の排水口１ａの異なる口径に適合するよう外周にフランジＦが形成されている。  【選択図】  図１  
2005273252.tif 000002
【特許請求の範囲】
【請求項１】
排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されていることを特徴とする蓋。
【請求項２】
前記蓋本体は、平面視ほぼ半円状の平板部の端縁と、平面視ほぼ半円状で下方に凹入する湾曲板部の端縁とで形成される排水用開口を有する請求項１に記載の蓋。
【請求項３】
前記湾曲板部を互いに対称の形状となるように二つに区分する切欠きを設けてある請求項２に記載の蓋。
【請求項４】
前記蓋本体は、平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してある請求項１に記載の蓋。
【発明の詳細な説明】
【技術分野】
【０００１】
この発明は、流しの排水口の上部に設けられる蓋に関するものである。
【背景技術】
【０００２】
平面視ほぼ半円状の平板部の端縁と、平面視ほぼ半円状で下方に凹入する湾曲板部の端縁とで形成される排水用開口を有し、流しの排水口の上部に設置されているゴミ受けカゴを覆うように設けられる蓋として、下記特許文献１に示すものがある。
【特許文献１】特許第２７２４５５５公報号
【発明の開示】
【発明が解決しようとする課題】
【０００３】
ところで、流しの排水口は大小さまざまの大きさがあり、排水口の特定の口径にだけ適合する前記蓋は汎用性がない。
【０００４】
一方、本出願人は、流しの排水口の上部に設けられ、排水用開口を有する蓋として、下記特許文献１に示すように、ヌメリ除去作用および／または殺菌作用を有する水溶性の薬剤および／または生ゴミや下水からの異臭を消す消臭作用を有する水溶性の薬剤を裏側に設けたものを提案している。
また、本出願人は、特定の形状をした排水用開口を持つ蓋として、蓋に設けた排水用開口の下縁に湾曲部材を着脱自在に取り付け、この湾曲部材に前記薬剤を収容する複数の収容部を設けたものを提案している（特願２００３−２７７０９４号、ただし、いわゆる公知公用ではない。）。
【特許文献１】特開２００３−２７８２０９号公報
【０００５】
このように、前記薬剤を、ゴミかくし用の蓋の排水用開口に設けたり、前記蓋の把手の下面側に設けているが、薬剤の溶解が必ずしも安定しなかった。
【０００６】
この発明は、上述の事柄に留意してなされたもので、その目的の一つは、流しの排水口の異なる口径に適合する蓋を提供することである。また、この発明の他の目的は、ヌメリ除去作用および／または殺菌作用を有する水溶性の薬剤および／または生ゴミや下水からの異臭を消す消臭作用を有する水溶性の薬剤の溶解を安定させるリング状のヌメリ除去部材を用いた蓋を提供することである。
【課題を解決するための手段】
【０００７】
上記目的を達成するために、この発明の蓋は、排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されている。
【発明の効果】
【０００８】
この発明では、蓋本体には、流しの排水口の異なる口径に適合するよう外周にフランジが形成されているので、汎用性があり、流しの排水口の大小にかかわらず使用者は流しの排水口の上部に蓋を設置できる。
【０００９】
また、この発明では、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させているので、リング体を保持した状態で、流しの排水口の上部に設置されるゴミ受けカゴを覆うように蓋本体を排水口の上部に取り付けることができる。そのため、流しの排水は、前記収容部内では前記薬剤が溶解し、排水と共に溶解した薬剤がゴミ受けカゴを通ることから、ゴミ受けカゴに付着しているヌメリを除去したり、ゴミ受けカゴの殺菌を行ったり、ゴミ受けカゴに付着している生ゴミ、あるいは、下水からの異臭を消すことができる。
しかも、この発明では、前記収容部は、当該収容部内に排水が流入したり、当該収容部内から溶解液が流出する複数の孔を有し、これら孔のうち、一部を他のものより低い位置に形成しているので、前記収容部に流入し溜まった排水によって予め水溶性の薬剤の一部を溶解させることができる。すなわち、一旦排水が無くなった状態では、つまり、前記収容部内に排水が流入しなくなった状態では、先に前記収容部内に流入し溜まった排水によって前記薬剤の一部は溶解しており、しかも、前記収容部内に排水が溜まっているので、溶解液は飽和液になり易くなり、薬剤の溶解が安定する。
【発明を実施するための最良の形態】
【００１０】
以下、この発明の実施形態を、図を参照しながら説明する。なお、それによってこの発明は限定されるものではない。
【００１１】
図１〜図８は、この発明の第１の実施形態を示す。なお、図１、図２は、異なる口径の排水口にこの発明の蓋が設置できることを説明するためのものである。
【００１２】
図１〜図８において、流し１の排水口１ａには、下流側が排水パイプ（図示せず）に接続するよう取り付けられたほぼ筒状のゴミ受けカゴ収容容器２と、この収容容器２の上部空間Ｓに着脱自在に収容されるゴミ受けカゴ３と、このゴミ受けカゴ３を覆うよう、前記収容容器２の上方開口２ａにはめ込まれて使用される合成樹脂製で剛性の蓋４とが備わっている。排水栓２は、公知のものが使用されており、上方開口２ａを形成する環状の外向きフランジ５を介して排水口１ａに取り付けられている。
【００１３】
前記蓋４は、蓋本体４ａに、弾性的に変形するリング体４ｂを保持させてなる。このリング体４ｂには、ヌメリ除去作用および／または殺菌作用を有する水溶性の薬剤および／または生ゴミや下水からの異臭を消す消臭作用を有する水溶性の薬剤（以下、単に薬剤という）Ｄを収容する複数の収容部４４が設けられている。
前記蓋本体４ａは、平面視円形に形成されており、また、排水用開口６を平面視におけるほぼ中央に有する。そして、蓋本体４ａは、平坦な環状の上面外周部７と、この上面外周部７から下方に直角に折れ曲がった環状の垂下部８と、前記上面外周部７のほぼ半周部分における内周側から内側で、上方側に緩やかに傾斜する傾斜部９と、この傾斜部９から内側に連設されて端縁ｍに至る、平面視ほぼ半円状の平板部１０と、前記上面外周部７の残りのほぼ半周部分における外周側から内側に所定幅Ｌを有する形でほぼ平坦に連設される連設部１１と、この連設部１１から内側で下方に凹入する平面視ほぼ半円状の湾曲部分１２とから主として構成されている。
【００１４】
そして、前記蓋本体４ａは、平面視ほぼ半円状の前記平板部１０の端縁ｍと、平面視ほぼ半円状で下方に凹入する前記湾曲板部１２の端縁ｎとで形成される排水用開口６を有する。なお、前記端縁ｍは、平面視ほぼ半円状の平板部１０の直径部分である。また、前記端縁ｎは、平面視ほぼ半円状で下方に凹入する前記湾曲板部１２の直径部分である。この実施形態では、前記端縁ｎは、湾曲板部１２と連設部１１に跨がっている。また、前記端縁ｍは、前記平板部１０から傾斜部９に跨がっている。
１５は、前記湾曲板部１２に設けた一つの切欠きで、前記湾曲板部１２を互いに対称の形状となるように二つに区分している。この切欠き１５は、前記湾曲部分１２を二つに区分するスリット状の切欠きで、湾曲板部１２の端縁ｎの中央から、湾曲板部１２の湾曲面１２ａに沿って真っ直ぐに湾曲板部１２が切込まれて前記連設部１１の内縁１１ａに至る。  
【００１５】
この発明では、流し１の排水口１ａの異なる口径に適合するよう蓋４の外周にフランジＦが形成されている。すなわち、この発明は、平坦な環状の上面外周部７を垂下部８の位置から平面視円形の蓋４における径方向に長さＡだけ突出させてなる環状のフランジＦを設けている。
【００１６】
ここで、流し１の排水口１ａの口径が例えば大中小の三つの場合があるとした場合、大中小のうち、従来は小の口径を持つ排水口１ａ（図１参照）に、図１３に示すような長い垂下部８’を、ゴミ受けカゴ収容容器２の胴の上部に形成されているストレート部分２ｂ（図１参照）とゴミ受けカゴ収容容器２のフランジ５との間に設けた環状の段差Ｍに載置するとともに、垂下部８’の外周面がゴミ受けカゴ収容容器２の上方開口２ａにおける内周面ｉ（図１参照）に当接しながら蓋４’を排水栓２に嵌め込んでいたが、
（１）この発明では、排水口１ａの口径が例えば大の場合には、図２に示すようにゴミ受けカゴ収容容器２のフランジ５の内周部分に前記フランジＦの外周部分が引っ掛かる形で排水口１ａに蓋４を設置できるようにしたものである。
また、
（２）この発明では、排水口１ａの口径が例えば小の場合には、図１に示すように、垂下部８の外周面がゴミ受けカゴ収容容器２の上方開口２ａにおける内周面ｉに当接しながら、かつ、垂下部８から突出させた前記フランジＦがゴミ受けカゴ収容容器２のフランジ５に載置された状態で排水口１ａに蓋４を設置できるようにしたものである。
【００１７】
更に、１６は、流しの排水の一部が流れ込む導入部で、蓋本体４ａの上縁部１３の前記平坦部１０および下縁部１４の前記連設部１１に、それぞれ複数個形成されている。導入部１６は、複数の小孔を有する。各小孔は、排水に混じって流れてくるゴミができるだけ通過し難い大きさに形成されている。
また、図８は、蓋本体４ａを裏側からみたものであるが、図８において、１７は、前記リング体４ｂを蓋本体４ａに保持させるための保持部である。この保持部１７は環状の前記垂下部８より長さＨだけ内側に間隔をおいて同一円周上に設けられている。保持部１７は、リング体４ｂ取り付け用の係合孔１７ａを有する。
【００１８】
次に、前記リング体４ｂについて説明する。
リング体４ｂは、図４、図５に示すように薄肉の上リング部材１９と薄肉の下リング部材２０を接合することにより形成されている。２１は、その接合面を示している。上リング部材１９は前記収容部４４を構成するカバー４４ａを有する。このカバー４４ａは、後述する横断面ほぼＵ字形のトレイ４４ｂを上方から覆うためのものである。カバー４４ａは、複数の排水用の孔３６を有する。一方、下リング部材２０は、係合孔１７ａに挿入される複数の突出片２２と、カバー４４ａとで収容部４４を形成するトレイ４４ｂとを有する。そして、蓋本体４ｂの裏側（下方側）からリング体４ｂをはめ込む場合は、外力により複数の突出片２２あるいはリング体４ｂ自体を弾性的に内側に変形させ、その後変形力を解除することで突出片２２を係合孔１７ａに係合させることでリング体４ｂを蓋本体４ａに弾性的に嵌合保持させることができる。そして、リング体４ｂが蓋本体４ａに保持されている状態では、排水用の孔３６の直上に導入部１６が位置している。
また、下リング部材２０は、排水用の孔３６とは別の排水用の孔２７を有する。排水用の孔３６は、収容部４４の内側面上部に設けられる。また、排水用の孔２７は、収容部４４の外側面上部に設けられる。さらに、排水用の孔３６は側面下部に位置するとともに、排水用の孔２７は側面上部に位置する。収容部４４は、当該収容部４４に流入し溜まった排水によって予め薬剤（図示せず）の一部を溶解させる。
【００１９】
而して、流しの排水の一部は、導入部１６を通り、収容部４４内に流入して薬剤の一部を溶解させるとともに、収容部４４内から溶解液が直下のゴミ受けカゴ３に至りゴミ受けカゴ３のヌメリを除去できる。そして、一旦排水が無くなった状態では、すなわち、収容部４４内に排水が流入しなくなった状態では、先に収容部４４内に流入し溜まった排水によって薬剤の一部は溶解しており、しかも、排水用の孔３６，２７のうち、排水用の孔２７を排水用の孔３６より低い位置に形成してあるので、収容部４４内に排水が溜まっており、溶解液は飽和液になり易くなる。つまり、薬剤の溶解が安定する。この状態で排水があると、飽和溶解液を薄める形で、かつ、飽和溶解液に混じって溶解液が収容部４４から流出する。よって、ゴミ受けカゴ３の例えばヌメリを効果的に除去できる。
【００２０】
図９、図１０は、この発明の第２の実施形態を示す。なお、図９、図１０において、図１〜図８で用いた符号と同一のものは同一または相当物である。この実施形態と上記第１の実施形態との相違点は、上記第１の実施形態では、湾曲板部１２を互いに対称の形状となるように二つに区分するスリット状の切欠き１５を設けたのに対して、この実施形態の蓋本体４ａにはそのような切欠き１５を前記湾曲板部１２に設けていない点である。
【００２１】
図１１、図１２は、この発明の第３の実施形態を示す。なお、図１１、図１２において、図１〜図１０で用いた符号と同一のものは同一または相当物である。
図１１、図１２において、４ａ’は、流し１の排水口１ａの上部に設置されているゴミ受けカゴ３を覆うように設けられる剛性の蓋本体である。この蓋本体４ａ’は、平面視円形に形成されており、合成樹脂製で剛性を有する。前記蓋本体４ａ’は、平面視ほぼ扇形状の一対の平板部３０，３１と、平面視ほぼ扇形状で下方に凹入する一対の湾曲板部１２ｃ，１２ｄとを備え、前記平板部３０，３１と湾曲板部１２ｃ，１２ｄとは平面視において互いに隣り合う状態で配置され、前記平板部３０，３１の端縁ｍ1 ，ｍ3 、ｍ2 ，ｍ4 と前記湾曲板部１２ｃ，１２ｄの端縁ｎ2 ，ｎ3 、ｎ1 ，ｎ4 とで排水用開口６を形成してある。そして、平板部３０，３１同士が対角線上に位置している。また、湾曲板部１２ｃ，１２ｄ同士が対角線上に位置している。１１ｂ，１１ｃは、蓋本体４ａ’の上面外周部７の円周角でほぼ９０°に対応する部分における外周側から内側に所定幅Ｌを有する形でほぼ平坦に連設される連設部である。なお、９，９は、前記上面外周部７の円周角でほぼ９０°に対応する部分における内周側から内側で、上方側に緩やかに傾斜する傾斜部である。
【図面の簡単な説明】
【００２２】
【図１】この発明の第１の実施形態における使用状態の一例を示す構成説明図である。
【図２】上記実施形態における使用状態の他の一例を示す構成説明図である。
【図３】上記実施形態において、リング体の蓋本体への取り付け動作を説明するための図である。
【図４】上記実施形態を示す分解縦断面図である。
【図５】上記実施形態におけるリング体の収容部を示す図である。
【図６】上記実施形態を示す平面図である。
【図７】上記実施形態示す縦断面図である。
【図８】上記実施形態を示す底面図である。
【図９】この発明の第２の実施形態を示す平面図である。
【図１０】上記第２の実施形態示す縦断面図である。
【図１１】この発明の第３の実施形態を示す平面図である。
【図１２】上記第３の実施形態示す縦断面図である。
【図１３】従来例を示す縦断面図である。
【符号の説明】
【００２３】
１          流し
１ａ        排水口  
３          ゴミ受けカゴ
４ａ        蓋本体
４ｂ        リング体
６          排水用開口
２７，３６  排水用の孔
４４        収容部
Ｆ          フランジ
【図１】
2005273252.tif 000003
【図２】
2005273252.tif 000004
【図３】
2005273252.tif 000005
【図４】
2005273252.tif 000006
【図５】
2005273252.tif 000007
【図６】
2005273252.tif 000008
【図７】
2005273252.tif 000009
【図８】
2005273252.tif 000010
【図９】
2005273252.tif 000011
【図１０】
2005273252.tif 000012
【図１１】
2005273252.tif 000013
【図１２】
2005273252.tif 000014
【図１３】
2005273252.tif 000015
【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されており、また、前記蓋本体は、平面視ほぼ半円状の平板部の端縁と、平面視ほぼ半円状で下方に凹入する湾曲板部の端縁とで形成される排水用開口を有し、さらに、前記湾曲板部を互いに対称の形状となるように二つに区分する切欠きを設けてあることを特徴とする蓋。
【請求項２】
排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されており、前記蓋本体は、平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してあることを特徴とする蓋。
【手続補正２】
【補正対象書類名】明細書
【補正対象項目名】全文
【補正方法】変更
【補正の内容】
【発明の詳細な説明】
【技術分野】
【０００１】
この発明は、流しの排水口の上部に設けられる蓋に関するものである。
【背景技術】
【０００２】
平面視ほぼ半円状の平板部の端縁と、平面視ほぼ半円状で下方に凹入する湾曲板部の端縁とで形成される排水用開口を有し、流しの排水口の上部に設置されているゴミ受けカゴを覆うように設けられる蓋として、下記特許文献１に示すものがある。
【特許文献１】特許第２７２４５５５公報号
【発明の開示】
【発明が解決しようとする課題】
【０００３】
ところで、流しの排水口は大小さまざまの大きさがあり、排水口の特定の口径にだけ適合する前記蓋は汎用性がない。
【０００４】
一方、本出願人は、流しの排水口の上部に設けられ、排水用開口を有する蓋として、下記特許文献１に示すように、ヌメリ除去作用および／または殺菌作用を有する水溶性の薬剤および／または生ゴミや下水からの異臭を消す消臭作用を有する水溶性の薬剤を裏側に設けたものを提案している。
また、本出願人は、特定の形状をした排水用開口を持つ蓋として、蓋に設けた排水用開口の下縁に湾曲部材を着脱自在に取り付け、この湾曲部材に前記薬剤を収容する複数の収容部を設けたものを提案している（特願２００３−２７７０９４号、ただし、いわゆる公知公用ではない。）。
【特許文献１】特開２００３−２７８２０９号公報
【０００５】
このように、前記薬剤を、ゴミかくし用の蓋の排水用開口に設けたり、前記蓋の把手の下面側に設けているが、薬剤の溶解が必ずしも安定しなかった。
【０００６】
この発明は、上述の事柄に留意してなされたもので、その目的の一つは、流しの排水口の異なる口径に適合する蓋を提供することである。また、この発明の他の目的は、ヌメリ除去作用および／または殺菌作用を有する水溶性の薬剤および／または生ゴミや下水からの異臭を消す消臭作用を有する水溶性の薬剤の溶解を安定させるリング状のヌメリ除去部材を用いた蓋を提供することである。
【課題を解決するための手段】
【０００７】
上記目的を達成するために、この発明の蓋は、排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されており、また、前記蓋本体は、平面視ほぼ半円状の平板部の端縁と、平面視ほぼ半円状で下方に凹入する湾曲板部の端縁とで形成される排水用開口を有し、さらに、前記湾曲板部を互いに対称の形状となるように二つに区分する切欠きを設けてある。
また、この発明の蓋は、排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されており、前記蓋本体は、平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してあってもよい。
【発明の効果】
【０００８】
この発明では、蓋本体には、流しの排水口の異なる口径に適合するよう外周にフランジが形成されているので、汎用性があり、流しの排水口の大小にかかわらず使用者は流しの排水口の上部に蓋を設置できる。
【０００９】
また、この発明では、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させているので、リング体を保持した状態で、流しの排水口の上部に設置されるゴミ受けカゴを覆うように蓋本体を排水口の上部に取り付けることができる。そのため、流しの排水は、前記収容部内では前記薬剤が溶解し、排水と共に溶解した薬剤がゴミ受けカゴを通ることから、ゴミ受けカゴに付着しているヌメリを除去したり、ゴミ受けカゴの殺菌を行ったり、ゴミ受けカゴに付着している生ゴミ、あるいは、下水からの異臭を消すことができる。
しかも、この発明では、前記収容部は、当該収容部内に排水が流入したり、当該収容部内から溶解液が流出する複数の孔を有し、これら孔のうち、一部を他のものより低い位置に形成しているので、前記収容部に流入し溜まった排水によって予め水溶性の薬剤の一部を溶解させることができる。すなわち、一旦排水が無くなった状態では、つまり、前記収容部内に排水が流入しなくなった状態では、先に前記収容部内に流入し溜まった排水によって前記薬剤の一部は溶解しており、しかも、前記収容部内に排水が溜まっているので、溶解液は飽和液になり易くなり、薬剤の溶解が安定する。
【発明を実施するための最良の形態】
【００１０】
以下、この発明の実施形態を、図を参照しながら説明する。なお、それによってこの発明は限定されるものではない。
【００１１】
図１〜図８は、この発明の第１の実施形態を示す。なお、図１、図２は、異なる口径の排水口にこの発明の蓋が設置できることを説明するためのものである。
【００１２】
図１〜図８において、流し１の排水口１ａには、下流側が排水パイプ（図示せず）に接続するよう取り付けられたほぼ筒状のゴミ受けカゴ収容容器２と、この収容容器２の上部空間Ｓに着脱自在に収容されるゴミ受けカゴ３と、このゴミ受けカゴ３を覆うよう、前記収容容器２の上方開口２ａにはめ込まれて使用される合成樹脂製で剛性の蓋４とが備わっている。収容容器２は、公知のものが使用されており、上方開口２ａを形成する環状の外向きフランジ５を介して排水口１ａに取り付けられている。
【００１３】
前記蓋４は、蓋本体４ａに、弾性的に変形するリング体４ｂを保持させてなる。このリング体４ｂには、ヌメリ除去作用および／または殺菌作用を有する水溶性の薬剤および／または生ゴミや下水からの異臭を消す消臭作用を有する水溶性の薬剤（以下、単に薬剤という）Ｄを収容する複数の収容部４４が設けられている。
前記蓋本体４ａは、平面視円形に形成されており、また、排水用開口６を平面視におけるほぼ中央に有する。そして、蓋本体４ａは、平坦な環状の上面外周部７と、この上面外周部７から下方に直角に折れ曲がった環状の垂下部８と、前記上面外周部７のほぼ半周部分における内周側から内側で、上方側に緩やかに傾斜する傾斜部９と、この傾斜部９から内側に連設されて端縁ｍに至る、平面視ほぼ半円状の平板部１０と、前記上面外周部７の残りのほぼ半周部分における外周側から内側に所定幅Ｌを有する形でほぼ平坦に連設される連設部１１と、この連設部１１から内側で下方に凹入する平面視ほぼ半円状の湾曲部分１２とから主として構成されている。
【００１４】
そして、前記蓋本体４ａは、平面視ほぼ半円状の前記平板部１０の端縁ｍと、平面視ほぼ半円状で下方に凹入する前記湾曲板部１２の端縁ｎとで形成される排水用開口６を有する。なお、前記端縁ｍは、平面視ほぼ半円状の平板部１０の直径部分である。また、前記端縁ｎは、平面視ほぼ半円状で下方に凹入する前記湾曲板部１２の直径部分である。この実施形態では、前記端縁ｎは、湾曲板部１２と連設部１１に跨がっている。また、前記端縁ｍは、前記平板部１０から傾斜部９に跨がっている。
１５は、前記湾曲板部１２に設けた一つの切欠きで、前記湾曲板部１２を互いに対称の形状となるように二つに区分している。この切欠き１５は、前記湾曲部分１２を二つに区分するスリット状の切欠きで、湾曲板部１２の端縁ｎの中央から、湾曲板部１２の湾曲面１２ａに沿って真っ直ぐに湾曲板部１２が切込まれて前記連設部１１の内縁１１ａに至る。  
【００１５】
この発明では、流し１の排水口１ａの異なる口径に適合するよう蓋４の外周にフランジＦが形成されている。すなわち、この発明は、平坦な環状の上面外周部７を垂下部８の位置から平面視円形の蓋４における径方向に長さＡだけ突出させてなる環状のフランジＦを設けている。
【００１６】
ここで、流し１の排水口１ａの口径が例えば大中小の三つの場合があるとした場合、大中小のうち、従来は小の口径を持つ排水口１ａ（図１参照）に、図１３に示すような長い垂下部８’を、ゴミ受けカゴ収容容器２の胴の上部に形成されているストレート部分２ｂ（図１参照）とゴミ受けカゴ収容容器２のフランジ５との間に設けた環状の段差Ｍに載置するとともに、垂下部８’の外周面がゴミ受けカゴ収容容器２の上方開口２ａにおける内周面ｉ（図１参照）に当接しながら蓋４’をゴミ受けカゴ収容容器２に嵌め込んでいたが、
（１）この発明では、排水口１ａの口径が例えば大の場合には、図２に示すようにゴミ受けカゴ収容容器２のフランジ５の内周部分に前記フランジＦの外周部分が引っ掛かる形で排水口１ａに蓋４を設置できるようにしたものである。
また、
（２）この発明では、排水口１ａの口径が例えば小の場合には、図１に示すように、垂下部８の外周面がゴミ受けカゴ収容容器２の上方開口２ａにおける内周面ｉに当接しながら、かつ、垂下部８から突出させた前記フランジＦがゴミ受けカゴ収容容器２のフランジ５に載置された状態で排水口１ａに蓋４を設置できるようにしたものである。
【００１７】
更に、１６は、流しの排水の一部が流れ込む導入部で、蓋本体４ａの上縁部１３の前記平坦部１０および下縁部１４の前記連設部１１に、それぞれ複数個形成されている。導入部１６は、複数の小孔を有する。各小孔は、排水に混じって流れてくるゴミができるだけ通過し難い大きさに形成されている。
また、図８は、蓋本体４ａを裏側からみたものであるが、図８において、１７は、前記リング体４ｂを蓋本体４ａに保持させるための保持部である。この保持部１７は環状の前記垂下部８より長さＨだけ内側に間隔をおいて同一円周上に設けられている。保持部１７は、リング体４ｂ取り付け用の係合孔１７ａを有する。
【００１８】
次に、前記リング体４ｂについて説明する。
リング体４ｂは、図４、図５に示すように薄肉の上リング部材１９と薄肉の下リング部材２０を接合することにより形成されている。２１は、その接合面を示している。上リング部材１９は前記収容部４４を構成するカバー４４ａを有する。このカバー４４ａは、後述する横断面ほぼＵ字形のトレイ４４ｂを上方から覆うためのものである。カバー４４ａは、複数の排水用の孔３６を有する。一方、下リング部材２０は、係合孔１７ａに挿入される複数の突出片２２と、カバー４４ａとで収容部４４を形成するトレイ４４ｂとを有する。そして、蓋本体４ｂの裏側（下方側）からリング体４ｂをはめ込む場合は、外力により複数の突出片２２あるいはリング体４ｂ自体を弾性的に内側に変形させ、その後変形力を解除することで突出片２２を係合孔１７ａに係合させることでリング体４ｂを蓋本体４ａに弾性的に嵌合保持させることができる。そして、リング体４ｂが蓋本体４ａに保持されている状態では、排水用の孔３６の直上に導入部１６が位置している。
また、下リング部材２０は、排水用の孔３６とは別の排水用の孔２７を有する。排水用の孔３６は、収容部４４の内側面上部に設けられる。また、排水用の孔２７は、収容部４４の外側面上部に設けられる。さらに、排水用の孔３６は側面下部に位置するとともに、排水用の孔２７は側面上部に位置する。収容部４４は、当該収容部４４に流入し溜まった排水によって予め薬剤（図示せず）の一部を溶解させる。
【００１９】
而して、流しの排水の一部は、導入部１６を通り、収容部４４内に流入して薬剤の一部を溶解させるとともに、収容部４４内から溶解液が直下のゴミ受けカゴ３に至りゴミ受けカゴ３のヌメリを除去できる。そして、一旦排水が無くなった状態では、すなわち、収容部４４内に排水が流入しなくなった状態では、先に収容部４４内に流入し溜まった排水によって薬剤の一部は溶解しており、しかも、排水用の孔３６，２７のうち、排水用の孔３６を排水用の孔２７より低い位置に形成してあるので、収容部４４内に排水が溜まり、溶解液は飽和液になり易くなる。つまり、薬剤の溶解が安定する。この状態で排水があると、飽和溶解液を薄める形で、かつ、飽和溶解液に混じって溶解液が収容部４４から流出する。よって、ゴミ受けカゴ３の例えばヌメリを効果的に除去できる。
【００２０】
【００２１】
図１１、図１２は、この発明の第３の実施形態を示す。なお、図１１、図１２において、図１〜図１０で用いた符号と同一のものは同一または相当物である。
図１１、図１２において、４ａ’は、流し１の排水口１ａの上部に設置されているゴミ受けカゴ３を覆うように設けられる剛性の蓋本体である。この蓋本体４ａ’は、平面視円形に形成されており、合成樹脂製で剛性を有する。前記蓋本体４ａ’は、平面視ほぼ扇形状の一対の平板部３０，３１と、平面視ほぼ扇形状で下方に凹入する一対の湾曲板部１２ｃ，１２ｄとを備え、前記平板部３０，３１と湾曲板部１２ｃ，１２ｄとは平面視において互いに隣り合う状態で配置され、前記平板部３０，３１の端縁ｍ1 ，ｍ3 、ｍ2 ，ｍ4 と前記湾曲板部１２ｃ，１２ｄの端縁ｎ2 ，ｎ3 、ｎ1 ，ｎ4 とで排水用開口６を形成してある。そして、平板部３０，３１同士が対角線上に位置している。また、湾曲板部１２ｃ，１２ｄ同士が対角線上に位置している。１１ｂ，１１ｃは、蓋本体４ａ’の上面外周部７の円周角でほぼ９０°に対応する部分における外周側から内側に所定幅Ｌを有する形でほぼ平坦に連設される連設部である。なお、９，９は、前記上面外周部７の円周角でほぼ９０°に対応する部分における内周側から内側で、上方側に緩やかに傾斜する傾斜部である。
【図面の簡単な説明】
【００２２】
【図１】この発明の第１の実施形態における使用状態の一例を示す構成説明図である。
【図２】上記実施形態における使用状態の他の一例を示す構成説明図である。
【図３】上記実施形態において、リング体の蓋本体への取り付け動作を説明するための図である。
【図４】上記実施形態を示す分解縦断面図である。
【図５】上記実施形態におけるリング体の収容部を示す図である。
【図６】上記実施形態を示す平面図である。
【図７】上記実施形態示す縦断面図である。
【図８】上記実施形態を示す底面図である。
【図９】この発明の第２の実施形態を示す平面図である。
【図１０】上記第２の実施形態示す縦断面図である。
【図１１】この発明の第３の実施形態を示す平面図である。
【図１２】上記第３の実施形態示す縦断面図である。
【図１３】従来例を示す縦断面図である。
【符号の説明】
【００２３】
１          流し
１ａ        排水口  
３          ゴミ受けカゴ
４ａ        蓋本体
４ｂ        リング体
６          排水用開口
２７，３６  排水用の孔
４４        収容部
Ｆ          フランジ
【手続補正３】
【補正対象書類名】図面
【補正対象項目名】図１
【補正方法】変更
【補正の内容】
【図１】
2005273252.tif 000016
【手続補正４】
【補正対象書類名】図面
【補正対象項目名】図１３
【補正方法】変更
【補正の内容】
【図１３】
2005273252.tif 000017
【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されており、また、前記蓋本体は、平面視ほぼ半円状の平板部の端縁と、平面視ほぼ半円状で下方に凹入する湾曲板部の端縁とで形成される排水用開口を有し、さらに、前記湾曲板部を互いに対称の形状となるように二つに区分する切欠きを設けてあることを特徴とする蓋。
【請求項２】
排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されており、前記蓋本体は、平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してあることを特徴とする蓋。
【手続補正２】
【補正対象書類名】明細書
【補正対象項目名】全文
【補正方法】変更
【補正の内容】
【発明の詳細な説明】
【技術分野】
【０００１】
この発明は、流しの排水口の上部に設けられる蓋に関するものである。
【背景技術】
【０００２】
平面視ほぼ半円状の平板部の端縁と、平面視ほぼ半円状で下方に凹入する湾曲板部の端縁とで形成される排水用開口を有し、流しの排水口の上部に設置されているゴミ受けカゴを覆うように設けられる蓋として、下記特許文献１に示すものがある。
【特許文献１】特許第２７２４５５５公報号
【発明の開示】
【発明が解決しようとする課題】
【０００３】
ところで、流しの排水口は大小さまざまの大きさがあり、排水口の特定の口径にだけ適合する前記蓋は汎用性がない。
【０００４】
一方、本出願人は、流しの排水口の上部に設けられ、排水用開口を有する蓋として、下記特許文献１に示すように、ヌメリ除去作用および／または殺菌作用を有する水溶性の薬剤および／または生ゴミや下水からの異臭を消す消臭作用を有する水溶性の薬剤を裏側に設けたものを提案している。
また、本出願人は、特定の形状をした排水用開口を持つ蓋として、蓋に設けた排水用開口の下縁に湾曲部材を着脱自在に取り付け、この湾曲部材に前記薬剤を収容する複数の収容部を設けたものを提案している（特願２００３−２７７０９４号、ただし、いわゆる公知公用ではない。）。
【特許文献１】特開２００３−２７８２０９号公報
【０００５】
このように、前記薬剤を、ゴミかくし用の蓋の排水用開口に設けたり、前記蓋の把手の下面側に設けているが、薬剤の溶解が必ずしも安定しなかった。
【０００６】
この発明は、上述の事柄に留意してなされたもので、その目的の一つは、流しの排水口の異なる口径に適合する蓋を提供することである。また、この発明の他の目的は、ヌメリ除去作用および／または殺菌作用を有する水溶性の薬剤および／または生ゴミや下水からの異臭を消す消臭作用を有する水溶性の薬剤の溶解を安定させるリング状のヌメリ除去部材を用いた蓋を提供することである。
【課題を解決するための手段】
【０００７】
上記目的を達成するために、この発明の蓋は、排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されており、また、前記蓋本体は、平面視ほぼ半円状の平板部の端縁と、平面視ほぼ半円状で下方に凹入する湾曲板部の端縁とで形成される排水用開口を有し、さらに、前記湾曲板部を互いに対称の形状となるように二つに区分する切欠きを設けてある。
また、この発明の蓋は、排水用開口を有し、流しの排水口の上部に設置されているゴミ受けカゴを覆うように設けられる蓋において、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させ、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されているとともに、前記蓋本体には、流しの排水口の異なる口径に適合するよう外周にフランジが形成されており、前記蓋本体は、平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してあってもよい。
【発明の効果】
【０００８】
この発明では、蓋本体には、流しの排水口の異なる口径に適合するよう外周にフランジが形成されているので、汎用性があり、流しの排水口の大小にかかわらず使用者は流しの排水口の上部に蓋を設置できる。
【０００９】
また、この発明では、蓋本体に、ヌメリ除去作用および／または殺菌作用を有する水溶性の薬剤および／または生ゴミや下水からの異臭を消す消臭作用を有する水溶性の薬剤を収容する複数の収容部が設けられたリング体を保持させているので、リング体を保持した状態で、流しの排水口の上部に設置されるゴミ受けカゴを覆うように蓋本体を排水口の上部に取り付けることができる。そのため、流しの排水は、前記収容部内では前記薬剤が溶解し、排水と共に溶解した薬剤がゴミ受けカゴを通ることから、ゴミ受けカゴに付着しているヌメリを除去したり、ゴミ受けカゴの殺菌を行ったり、ゴミ受けカゴに付着している生ゴミ、あるいは、下水からの異臭を消すことができる。
しかも、この発明では、前記収容部は、当該収容部内に排水が流入したり、当該収容部内から溶解液が流出する複数の孔を有し、これら孔のうち、一部を他のものより低い位置に形成しているので、前記収容部に流入し溜まった排水によって予め水溶性の薬剤の一部を溶解させることができる。すなわち、一旦排水が無くなった状態では、つまり、前記収容部内に排水が流入しなくなった状態では、先に前記収容部内に流入し溜まった排水によって前記薬剤の一部は溶解しており、しかも、前記収容部内に排水が溜まっているので、溶解液は飽和液になり易くなり、薬剤の溶解が安定する。
【発明を実施するための最良の形態】
【００１０】
以下、この発明の実施形態を、図を参照しながら説明する。なお、それによってこの発明は限定されるものではない。
【００１１】
図１〜図８は、この発明の第１の実施形態を示す。なお、図１、図２は、異なる口径の排水口にこの発明の蓋が設置できることを説明するためのものである。
【００１２】
図１〜図８において、流し１の排水口１ａには、下流側が排水パイプ（図示せず）に接続するよう取り付けられたほぼ筒状のゴミ受けカゴ収容容器２と、この収容容器２の上部空間Ｓに着脱自在に収容されるゴミ受けカゴ３と、このゴミ受けカゴ３を覆うよう、前記収容容器２の上方開口２ａにはめ込まれて使用される合成樹脂製で剛性の蓋４とが備わっている。収容容器２は、公知のものが使用されており、上方開口２ａを形成する環状の外向きフランジ５を介して排水口１ａに取り付けられている。
【００１３】
前記蓋４は、蓋本体４ａに、弾性的に変形するリング体４ｂを保持させてなる。このリング体４ｂには、ヌメリ除去作用および／または殺菌作用を有する水溶性の薬剤および／または生ゴミや下水からの異臭を消す消臭作用を有する水溶性の薬剤（以下、単に薬剤という）Ｄを収容する複数の収容部４４が設けられている。
前記蓋本体４ａは、平面視円形に形成されており、また、排水用開口６を平面視におけるほぼ中央に有する。そして、蓋本体４ａは、平坦な環状の上面外周部７と、この上面外周部７から下方に直角に折れ曲がった環状の垂下部８と、前記上面外周部７のほぼ半周部分における内周側から内側で、上方側に緩やかに傾斜する傾斜部９と、この傾斜部９から内側に連設されて端縁ｍに至る、平面視ほぼ半円状の平板部１０と、前記上面外周部７の残りのほぼ半周部分における外周側から内側に所定幅Ｌを有する形でほぼ平坦に連設される連設部１１と、この連設部１１から内側で下方に凹入する平面視ほぼ半円状の湾曲部分１２とから主として構成されている。
【００１４】
そして、前記蓋本体４ａは、平面視ほぼ半円状の前記平板部１０の端縁ｍと、平面視ほぼ半円状で下方に凹入する前記湾曲板部１２の端縁ｎとで形成される排水用開口６を有する。なお、前記端縁ｍは、平面視ほぼ半円状の平板部１０の直径部分である。また、前記端縁ｎは、平面視ほぼ半円状で下方に凹入する前記湾曲板部１２の直径部分である。この実施形態では、前記端縁ｎは、湾曲板部１２と連設部１１に跨がっている。また、前記端縁ｍは、前記平板部１０から傾斜部９に跨がっている。
１５は、前記湾曲板部１２に設けた一つの切欠きで、前記湾曲板部１２を互いに対称の形状となるように二つに区分している。この切欠き１５は、前記湾曲部分１２を二つに区分するスリット状の切欠きで、湾曲板部１２の端縁ｎの中央から、湾曲板部１２の湾曲面１２ａに沿って真っ直ぐに湾曲板部１２が切込まれて前記連設部１１の内縁１１ａに至る。  
【００１５】
この発明では、流し１の排水口１ａの異なる口径に適合するよう蓋４の外周にフランジＦが形成されている。すなわち、この発明は、平坦な環状の上面外周部７を垂下部８の位置から平面視円形の蓋４における径方向に長さＡだけ突出させてなる環状のフランジＦを設けている。
【００１６】
ここで、流し１の排水口１ａの口径が例えば大中小の三つの場合があるとした場合、大中小のうち、従来は小の口径を持つ排水口１ａ（図１参照）に、図１３に示すような長い垂下部８’を、ゴミ受けカゴ収容容器２の胴の上部に形成されているストレート部分２ｂ（図１参照）とゴミ受けカゴ収容容器２のフランジ５との間に設けた環状の段差Ｍに載置するとともに、垂下部８’の外周面がゴミ受けカゴ収容容器２の上方開口２ａにおける内周面ｉ（図１参照）に当接しながら蓋４’をゴミ受けカゴ収容容器２に嵌め込んでいたが、
（１）この発明では、排水口１ａの口径が例えば大の場合には、図２に示すようにゴミ受けカゴ収容容器２のフランジ５の内周部分に前記フランジＦの外周部分が引っ掛かる形で排水口１ａに蓋４を設置できるようにしたものである。
また、
（２）この発明では、排水口１ａの口径が例えば小の場合には、図１に示すように、垂下部８の外周面がゴミ受けカゴ収容容器２の上方開口２ａにおける内周面ｉに当接しながら、かつ、垂下部８から突出させた前記フランジＦがゴミ受けカゴ収容容器２のフランジ５に載置された状態で排水口１ａに蓋４を設置できるようにしたものである。
【００１７】
更に、１６は、流しの排水の一部が流れ込む導入部で、蓋本体４ａの上縁部１３の前記平坦部１０および下縁部１４の前記連設部１１に、それぞれ複数個形成されている。導入部１６は、複数の小孔を有する。各小孔は、排水に混じって流れてくるゴミができるだけ通過し難い大きさに形成されている。
また、図８は、蓋本体４ａを裏側からみたものであるが、図８において、１７は、前記リング体４ｂを蓋本体４ａに保持させるための保持部である。この保持部１７は環状の前記垂下部８より長さＨだけ内側に間隔をおいて同一円周上に設けられている。保持部１７は、リング体４ｂ取り付け用の係合孔１７ａを有する。
【００１８】
次に、前記リング体４ｂについて説明する。
リング体４ｂは、図４、図５に示すように薄肉の上リング部材１９と薄肉の下リング部材２０を接合することにより形成されている。２１は、その接合面を示している。上リング部材１９は前記収容部４４を構成するカバー４４ａを有する。このカバー４４ａは、後述する横断面ほぼＵ字形のトレイ４４ｂを上方から覆うためのものである。カバー４４ａは、複数の排水用の孔３６を有する。一方、下リング部材２０は、係合孔１７ａに挿入される複数の突出片２２と、カバー４４ａとで収容部４４を形成するトレイ４４ｂとを有する。そして、蓋本体４ｂの裏側（下方側）からリング体４ｂをはめ込む場合は、外力により複数の突出片２２あるいはリング体４ｂ自体を弾性的に内側に変形させ、その後変形力を解除することで突出片２２を係合孔１７ａに係合させることでリング体４ｂを蓋本体４ａに弾性的に嵌合保持させることができる。そして、リング体４ｂが蓋本体４ａに保持されている状態では、排水用の孔３６の直上に導入部１６が位置している。
また、下リング部材２０は、排水用の孔３６とは別の排水用の孔２７を有する。排水用の孔３６は、収容部４４の内側面上部に設けられる。また、排水用の孔２７は、収容部４４の外側面上部に設けられる。さらに、排水用の孔３６は側面下部に位置するとともに、排水用の孔２７は側面上部に位置する。収容部４４は、当該収容部４４に流入し溜まった排水によって予め薬剤（図示せず）の一部を溶解させる。
【００１９】
而して、流しの排水の一部は、導入部１６を通り、収容部４４内に流入して薬剤の一部を溶解させるとともに、収容部４４内から溶解液が直下のゴミ受けカゴ３に至りゴミ受けカゴ３のヌメリを除去できる。そして、一旦排水が無くなった状態では、すなわち、収容部４４内に排水が流入しなくなった状態では、先に収容部４４内に流入し溜まった排水によって薬剤の一部は溶解しており、しかも、排水用の孔３６，２７のうち、排水用の孔３６を排水用の孔２７より低い位置に形成してあるので、収容部４４内に排水が溜まり、溶解液は飽和液になり易くなる。つまり、薬剤の溶解が安定する。この状態で排水があると、飽和溶解液を薄める形で、かつ、飽和溶解液に混じって溶解液が収容部４４から流出する。よって、ゴミ受けカゴ３の例えばヌメリを効果的に除去できる。
【００２０】
図９、図１０は、この発明に関連する参考例の実施形態を示す。なお、図９、図１０において、図１〜図８で用いた符号と同一のものは同一または相当物である。この実施形態と上記第１の実施形態との相違点は、上記第１の実施形態では、湾曲板部１２を互いに対称の形状となるように二つに区分するスリット状の切欠き１５を設けたのに対して、この実施形態の蓋本体４ａにはそのような切欠き１５を前記湾曲板部１２に設けていない点である。
【００２１】
図１１、図１２は、この発明の第２の実施形態を示す。なお、図１１、図１２において、図１〜図１０で用いた符号と同一のものは同一または相当物である。
図１１、図１２において、４ａ’は、流し１の排水口１ａの上部に設置されているゴミ受けカゴ３を覆うように設けられる剛性の蓋本体である。この蓋本体４ａ’は、平面視円形に形成されており、合成樹脂製で剛性を有する。前記蓋本体４ａ’は、平面視ほぼ扇形状の一対の平板部３０，３１と、平面視ほぼ扇形状で下方に凹入する一対の湾曲板部１２ｃ，１２ｄとを備え、前記平板部３０，３１と湾曲板部１２ｃ，１２ｄとは平面視において互いに隣り合う状態で配置され、前記平板部３０，３１の端縁ｍ1 ，ｍ3 、ｍ2 ，ｍ4 と前記湾曲板部１２ｃ，１２ｄの端縁ｎ2 ，ｎ3 、ｎ1 ，ｎ4 とで排水用開口６を形成してある。そして、平板部３０，３１同士が対角線上に位置している。また、湾曲板部１２ｃ，１２ｄ同士が対角線上に位置している。１１ｂ，１１ｃは、蓋本体４ａ’の上面外周部７の円周角でほぼ９０°に対応する部分における外周側から内側に所定幅Ｌを有する形でほぼ平坦に連設される連設部である。なお、９，９は、前記上面外周部７の円周角でほぼ９０°に対応する部分における内周側から内側で、上方側に緩やかに傾斜する傾斜部である。
【図面の簡単な説明】
【００２２】
【図１】この発明の第１の実施形態における使用状態の一例を示す構成説明図である。
【図２】上記実施形態における使用状態の他の一例を示す構成説明図である。
【図３】上記実施形態において、リング体の蓋本体への取り付け動作を説明するための図である。
【図４】上記実施形態を示す分解縦断面図である。
【図５】上記実施形態におけるリング体の収容部を示す図である。
【図６】上記実施形態を示す平面図である。
【図７】上記実施形態示す縦断面図である。
【図８】上記実施形態を示す底面図である。
【図９】この発明に関連する参考例の実施形態を示す平面図である。
【図１０】上記参考例の実施形態を示す縦断面図である。
【図１１】この発明の第２の実施形態を示す平面図である。
【図１２】上記第２の実施形態を示す縦断面図である。
【図１３】従来例を示す縦断面図である。
【符号の説明】
【００２３】
１          流し
１ａ        排水口  
３          ゴミ受けカゴ
４ａ        蓋本体
４ｂ        リング体
６          排水用開口
２７，３６  排水用の孔
４４        収容部
Ｆ          フランジ